(57)【特許請求の範囲】
【請求項１】
監視対象となる複数の廃棄物処理施設で測定される環境に関わる環境データを監視する環境監視システムにおいて、
前記廃棄物処理施設内に設置され前記環境データを測定する分析装置と、
前記分析装置を制御すると共に前記分析装置で測定された環境データを収集するデータ収集手段と、
前記データ収集手段を第１の通信ネットワークに接続するフィールドサーバと、
前記第１の通信ネットワークに接続され前記フィールドサーバを介して複数の前記廃棄物処理施設から前記環境データを収集して環境データファイルとして管理するデータ管理手段と、
第２の通信ネットワークに接続され、前記データ管理手段で管理される環境データファイルを前記第２の通信ネットワークに送信する情報公開手段と、
前記第２の通信ネットワークに接続され、前記情報公開手段により送信された環境データファイルを表示する表示装置と、
を具備したことを特徴とする環境監視システム。
【請求項２】
請求項１記載の環境監視システムにおいて、
前記廃棄物処理施設外に設置され前記廃棄物処理施設周辺の環境データを測定する分析装置と、
前記廃棄物処理施設外に設置された分析装置を制御すると共にこの分析装置で測定された環境データを収集するデータ収集手段と、
前記廃棄物処理施設外の環境データを収集するデータ収集手段を前記第１の通信ネットワークに接続するフィールドサーバと、
を設けたことを特徴とする環境監視システム。
【請求項３】
請求項１記載の環境監視システムにおいて、
前記データ管理手段は、前記環境データとその規制値とを比較し、前記情報公開手段は前記環境データが前記規制値を超えた場合に前記表示装置に警報を通知することを特徴とする環境監視システム。
【請求項４】
請求項１記載の環境監視システムにおいて、
前記施設内に前記環境データとその規制値を比較表示する表示盤を設けたことを特徴とする環境監視システム。
【発明の詳細な説明】
【０００１】
【発明の属する技術分野】
本発明は、例えば廃棄物処理施設などの、地域環境に影響を与える可能性のある施設に関わる環境データを監視し、その情報を公開する環境監視システムに関するものである。
【０００２】
【従来の技術】
１９９３年１１月に制定された「環境基本法」第２０条に基づいて、１９９７年６月に「環境影響評価法」、いわゆる「環境アセスメント法」が制定された。
そして、例えば廃棄物処理施設等を建設するような場合、その施設が地域環境に及ぼす影響を予測評価し、施設建設計画に反映させる環境アセスメントが重要となってくる。
【０００３】
そして、この環境アセスメントは、単に施設が周辺環境に及ぼす影響を予測評価し、施設建設計画に反映させるだけではなく、施設建設に対する地域住民の理解と協力を得るために欠くことのできない業務となってきている。
【０００４】
【発明が解決しようとする課題】
しかし、例えば、施設から排出される粉塵、窒素酸化物濃度等の大気汚染に関わる情報、施設から排水される水の物性情報、騒音、振動、臭気等の環境に関わる各種の環境データはそれぞれ個別の測定システムで測定され、個別の監視システムで監視されている。
従って、地域住民がリアルタイムにそれらの環境データを把握することができず、また情報を把握したい場合、容易にその情報を入手することができないため、環境に対する不安感を持ち、施設に対する信頼感を持つことができず、新たな施設の建設に影響を与える場合があった。
【０００５】
本発明は上述した問題点を解決するためになされたものであり、廃棄物処理施設に関わる施設内及び施設外の環境データを収集し、収集した環境データを広域に公開する情報公開性の高い環境監視システムを実現することを目的とする。
【０００６】
【課題を解決するための手段】
本発明の請求項１においては、
監視対象となる複数の廃棄物処理施設で測定される環境に関わる環境データを監視する環境監視システムにおいて、
前記廃棄物処理施設内に設置され前記環境データを測定する分析装置と、
前記分析装置を制御すると共に前記分析装置で測定された環境データを収集するデータ収集手段と、
前記データ収集手段を第１の通信ネットワークに接続するフィールドサーバと、
前記第１の通信ネットワークに接続され前記フィールドサーバを介して複数の前記廃棄物処理施設から前記環境データを収集して環境データファイルとして管理するデータ管理手段と、
第２の通信ネットワークに接続され、前記データ管理手段で管理される環境データファイルを前記第２の通信ネットワークに送信する情報公開手段と、
前記第２の通信ネットワークに接続され、前記情報公開手段により送信された環境データファイルを表示する表示装置と、
を具備したことを特徴とする環境監視システムである。
【０００７】
本発明の請求項２においては、
請求項１記載の環境監視システムにおいて、
前記廃棄物処理施設外に設置され前記廃棄物処理施設周辺の環境データを測定する分析装置と、
前記廃棄物処理施設外に設置された分析装置を制御すると共にこの分析装置で測定された環境データを収集するデータ収集手段と、
前記廃棄物処理施設外の環境データを収集するデータ収集手段を前記第１の通信ネットワークに接続するフィールドサーバと、
を設けたことを特徴とする環境監視システムである。
【０００８】
本発明の請求項３においては、
請求項１記載の環境監視システムにおいて、
前記データ管理手段は、前記環境データとその規制値とを比較し、前記情報公開手段は前記環境データが前記規制値を超えた場合に前記表示装置に警報を通知することを特徴とする環境監視システムである。
【０００９】
本発明の請求項４においては、
請求項１記載の環境監視システムにおいて、
前記施設内に前記環境データとその規制値を比較表示する表示盤を設けたことを特徴とする環境監視システムである。
【００１０】
【発明の実施の形態】
次に、本発明の実施例について図面を用いて説明する。
図１は本発明による環境監視システムの構成概略図である。
図１において、１は廃棄物処理施設としてのリサイクルセンター、２は廃棄物処理施設としての中間ごみ処理施設、３は廃棄物処理施設としての最終ごみ処理施設である。
【００１１】
リサイクルセンター１は一般家庭等から出される粗大ごみ、不燃ごみ、可燃ごみ等の分別、破砕処理等を行い、リサイクル可能なものとそうでないものを選別して、リサイクル不可能なものは中間ごみ処理施設２に搬出される。
【００１２】
中間ごみ処理施設２は、搬入されたごみのガス化、溶融、排ガス処理等を行うための熱処理を行い、再利用可能な鉄、銅等の有価物、スラグメタル、エコセメント等が抽出され、その残留物は最終ごみ処理施設３に搬出され、最終ごみ処理施設３では搬入された残留物を埋設処理する。
【００１３】
そして、リサイクルセンター１、中間ごみ処理施設２及び最終ごみ処理施設３内には、それぞれの施設から大気に排出される粉塵、窒素酸化物、水質汚濁の恐れのある施設からの排水、騒音、振動、臭気等の地域環境に悪影響を与える恐れのある環境データを測定して出力する分析装置１ａ１〜１ａｎ，２ａ１〜２ａｎ，３ａ１〜３ａｎがそれぞれ設置されている。
【００１４】
１ｂ，２ｂ，３ｂはデータ収集手段としてのプログラマブルロジックコントローラ（以下、ＰＬＣと記す）であり、分析装置１ａ１〜１ａｎ，２ａ１〜２ａｎ，３ａ１〜３ａｎの制御をそれぞれ行うと共に、出力される環境データを収集する。
そして、１ｃ，２ｃ，３ｃはＰＬＣ１ｂ，２ｂ，３ｂをそれぞれ通信ネットワーク６（例えば公衆電話回線）に接続するフィールドサーバであり、ＰＬＣ１ｂ，２ｂ，３ｂで収集された環境データを通信ネットワーク６上に送信する。
【００１５】
また、ＰＬＣ１ｂ，２ｂ，３ｂには分析装置１ａ１〜１ａｎ，２ａ１〜２ａｎ，３ａ１〜３ａｎで測定された環境データをその規制値と共に比較表示する表示盤１ｄ，２ｄ，３ｄが接続されており、これにより施設内において環境データの状態を把握することができる。
【００１６】
そして、４は廃棄物処理施設の外部で、廃棄物処理施設から排出される汚染物質等の影響や騒音の影響が出る恐れのある場所に設置される環境観測センターであり、廃棄物処理施設と同様に環境観測センター４の内部に分析装置４ａ１〜４ａｎ、ＰＬＣ４ｂ、フィールドサーバ４ｃが設置され、分析装置４ａ１〜４ａｎで測定される環境データはＰＬＣ４ｂによって収集されてフィールドサーバ４ｃによって通信ネットワーク６上に送信される。
【００１７】
そして、５は廃棄物処理施設の外部に設置される環境分析室であり、その内部には例えば中間ごみ処理施設２内で採取されたサンプルのダイオキシン濃度等を手動分析する分析装置５ａと、外部の環境データを表示させる表示装置５ｂが設置されており、それぞれ通信ネットワーク６に接続されている。
【００１８】
７は情報公開センターであり、データ管理手段としての環境監視サーバ７ａと情報公開手段としての情報公開サーバ７ｂが設置されている。
環境監視サーバ７ａは、通信ネットワーク６に接続され、フィールドサーバ１ｃ，２ｃ，３ｃを介して廃棄物処理施設で測定された環境データを収集して環境データファイルとして保存、管理し、情報公開サーバ７ｂは、例えば公衆電話回線等の通信ネットワーク８に接続され、環境監視サーバ７ａで管理されている環境データファイルを、ウエブページ、電子メール、ニュース等により通信ネットワーク８上に公開する情報公開手段である。
【００１９】
９ａ〜９ｎは例えば市役所、公民館、警察署等の地域内の公共施設に設けられると共にそれぞれ通信ネットワーク８に接続される表示装置であり、情報公開サーバ７ｂから送信される環境データファイルを表示させる。
そして、１０ａ〜１０ｎは地域住民の家庭内に設置される共に通信ネットワーク８に接続される表示装置であり、情報公開サーバ７ｂから送信される環境データファイルを表示させる。
【００２０】
次に、図１に示した環境監視システムの動作を説明する。
リサイクルセンター１、中間ごみ処理施設２及び最終ごみ処理施設３内の分析装置１ａ１〜１ａｎ，２ａ１〜２ａｎ，３ａ１〜３ａｎは、環境データを測定し、ＰＬＣ１ｂ，２ｂ，３ｂはそれぞれ測定された環境データを収集し、フィールドサーバ１ｃ，２ｃ，３ｃは収集された環境データを通信ネットワーク６上に送信する。
そして、表示盤１ｄ，２ｄ，３ｄはＰＬＣ１ｂ，２ｂ，３ｂで収集された環境データをそれらの規制値と共に比較表示する。
【００２１】
この場合、環境に悪影響を与える恐れのある異常が設備に発生したことを設備内に設置された表示盤の表示によってリアルタイムに把握することができるので、設備を一時停止させる等の対応を即座に取ることができ、環境問題の発生、周辺地域への拡大を防ぐことができる。
【００２２】
そして、環境観測センター４内の分析装置４ａ１〜４ａｎは、廃棄物処理施設周辺の環境データを測定し、ＰＬＣ４ｂは測定された環境データを収集し、フィールドサーバ４ｃは収集された環境データを通信ネットワーク６上に送信する。そして、環境分析室５内の分析装置５ａは例えば廃棄物処理施設内で採取されたサンプルのダイオキシン濃度等を手動分析し、通信ネットワーク６上に送信する。
【００２３】
そして、情報公開センター７内に設置された環境監視サーバ７ａは、通信ネットワーク６を介してフィールドサーバ１ｃ，２ｃ，３ｃ，４ｃ及び分析装置５ａから送信された環境データ及び分析結果を受信し、環境データファイルとして管理保存する。
【００２４】
この場合、広域に分散している廃棄物処理施設の環境データを環境監視サーバ７ａにおいて一元的に管理して情報を集約させることができ、また、分析装置１ａ１〜１ａｎ，２ａ１〜２ａｎ，３ａ１〜３ａｎ，４ａ１〜４ａｎによるリアルタイム測定と分析装置５ａによる手動分析を環境監視サーバ７ａにおいて一元的に管理して情報を集約することができる。
【００２５】
そして、情報公開サーバ７ｂは、表示装置５ｂ、表示装置９ａ〜９ｎ，１０ａ〜１０ｎからの要求にしたがって、環境監視サーバ７ａに保存されている環境データファイルをウエブページ、電子メール、ニュース等の形態で通信ネットワーク６，８を介して表示装置５ｂ、表示装置９ａ〜９ｎ，１０ａ〜１０ｎに送信して表示させる。
【００２６】
また、環境監視サーバ７ａは環境データとその規制値を比較し、環境データに異常が見られると判断された場合、情報公開サーバ７ｂは、地域の公共施設内に設置される表示装置９ａ〜９ｎ及び地域住民の家庭内に設置される表示装置１０ａ〜１０ｎにその内容がウエブページ、電子メール、ニュース等の形態で通信ネットワーク８を介して通報する。
【００２７】
この場合、廃棄物処理施設の環境データを住民が表示装置９ａ〜９ｎ又は表示装置１０ａ〜１０ｎによりリアルタイムにモニタリングでき、異常な場合はその情報がリアルタイムに通報されるため、住民の施設に対する不安感を軽減すると共に環境に対する関心を高めることができる。
【００２８】
また、環境監視サーバ７ａに、廃棄物処理施設の概要を紹介する情報、リサイクルセンターで管理されるリサイクル品の情報、地域住民からのリサイクル品情報等を保存しておき、情報公開サーバ７ｂによって表示装置９ａ〜９ｎ，１０ａ〜１０ｎにそれらの情報を表示させることにより、地域住民のごみ処理問題、環境問題、廃棄物処理のしくみの知識習得をサポートすることができ、地域住民との間でリサイクル情報の交換が可能となるので、効率的な廃棄物のリサイクルを実現することができる。
【００２９】
【発明の効果】
以上説明したように、本発明によれば、廃棄物処理施設に関わる施設内及び施設外の環境データを収集して広域に公開し、廃棄物処理施設周辺の住民がリアルタイムに環境データをモニタリング可能とすると共に、異常が発生したことを広域に通報するようにしたので、住民の環境に対する不安感を軽減することができる。
【００３０】
また、本発明によれば、測定された環境データとその規制値を比較表示する表示盤を廃棄物処理施設内に設けたので、環境に悪影響を与える恐れのある異常が廃棄物処理施設に発生したことをリアルタイムに把握することができる。
従って、廃棄物処理施設を一時停止させる等の対応を即座に取ることができ、環境問題の発生、周辺地域への拡大を防ぐことができる。
【図面の簡単な説明】
【図１】本発明による環境監視システムの構成概略図である。
【符号の説明】
１  リサイクルセンター
２  中間ごみ処理施設
３  環境観測センター
１ａ１〜１ａｎ，２ａ１〜２ａｎ，３ａ１〜３ａｎ  分析装置
１ｂ，２ｂ，３ｂ  ＰＬＣ
１ｃ，２ｃ，３ｃ  フィールドサーバ
６、８  通信ネットワーク
７  情報公開センター
７ａ  環境監視サーバ
７ｂ  情報公開サーバ
９ａ〜９ｎ，１０ａ〜１０ｎ  表示装置
【図１】
0003619934.tif 000002